【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
流体から所定の成分をサンプリング及び抽出するための装置であって、該装置が、細長いマイクロカートリッジを含んで成り、該カートリッジが収着剤を含有し、かつその中に、該流体と該収着剤とのアクセスを可能にするよう該カートリッジ内に圧力降下を作り出すことができる流路を有し、所定の成分を脱着できる好適な分析装置の注入口に適合するように、該マイクロカートリッジをサイズ設定しかつ成形した、流体から所定の成分をサンプリング及び抽出するための装置。
【請求項２】
細長いマイクロカートリッジを有し、該カートリッジが収着剤を含有し、かつその中に、流体と該収着剤とのアクセスを可能にするよう該カートリッジ内に圧力降下を作り出すことができる流路を有する、流体から所定の成分をサンプリング及び抽出するための装置を使用する方法であって、該マイクロカートリッジ及び該収着剤を該流体にさらすこと、好適な分析装置の注入口に該カートリッジを挿入すること、並びに該カートリッジから所定の成分を脱着させることを含んで成る、流体から所定の成分をサンプリング及び抽出するための装置を使用する方法。
【請求項３】
前記マイクロカートリッジを取り外し可能に配置できるハウジングがあり、該ハウジングが、その中に該カートリッジの１つの流路に対応する１つの開口を有し、該開口が、該開口の長さに比べて実質的に小さい直径を有する請求項２に記載の方法であって、該ハウジングに該カートリッジを配置して、該ハウジングを封止しかつプラグを用いて該開口を封止する工程、サンプリング直前に該プラグを取り除く工程、該ハウジングから該カートリッジを取り出さずに拡散によりサンプリングを実施する工程、サンプリングが完了した場合に該開口の該プラグを元に戻し、該ハウジング及びカートリッジを分析装置に移送する工程、該ハウジングから該カートリッジを取り出す工程、該分析装置の注入口に該カートリッジを配置する工程、並びに脱着を実施する工程を含む、請求項２に記載の方法。
【手続補正２】
【補正対象書類名】明細書
【補正対象項目名】００３９
【補正方法】変更
【補正の内容】
【００３９】
ハウジングは、マイクロカートリッジを封入するか、又はマイクロカートリッジの流路に対応する１つ又は複数の開口を有することができる場合、完全に封止することができる。この開口は栓をして封止することができる。
以上説明した本発明を要約して示せば、次のとおりである。
（１）流体から所定の成分をサンプリング及び抽出するための装置であって、該装置が、細長いマイクロカートリッジを含んで成り、該カートリッジが収着剤を含有し、かつその中に、該流体と該収着剤とのアクセスを可能にするよう該カートリッジ内に圧力降下を作り出すことができる流路を有し、所定の成分を脱着できる好適な分析装置の注入口に適合するように、該マイクロカートリッジをサイズ設定しかつ成形した、流体から所定の成分をサンプリング及び抽出するための装置。
（２）前記流路が、前記カートリッジの断面よりも実質的に小さいサイズを有する、（１）に記載の装置。
（３）前記カートリッジが、取り外し可能なクロージャーによって覆われた２つの端部を有する、（１）に記載の装置。
（４）前記クロージャーのうちの１つが、前記カートリッジを前記分析装置の隔壁に通すことができるようテーパー形状を有する、（３）に記載の装置。
（５）前記流体と前記収着剤の間に通路がある場合に、前記カートリッジを冷却するための手段がある、（１）に記載の装置。
（６）脱着中に前記カートリッジを加熱するための手段がある、（１）に記載の装置。
（７）前記カートリッジの内部が前記収着剤で充填された、（１）に記載の装置。
（８）前記収着剤が、セグメントに分かれた収着剤である（４）に記載の装置。
（９）前記収着剤が、小さなサイズの微粒子材料から成る、（１）に記載の装置。
（１０）前記収着剤が、前記マイクロカートリッジ中で適切なモノマーを直接的に重合することによって調製された高多孔質のモノリシックな収着剤である、（１）に記載の装置。
（１１）前記高多孔質のモノリシックな収着剤がゾル−ゲル法から得られた、（１０）に記載の装置。
（１２）前記収着剤が、前記マイクロカートリッジの内表面に結合された、（９）、（１０）又は（１１）の何れか１つに記載の装置。
（１３）前記収着剤が、所定の成分と選択的に反応する試薬を有する、（９）、（１０）又は（１１）の何れか１つに記載の装置。
（１４）２つの流路があり、一方の流路が前記カートリッジの各端部付近に配置された、（１）、（４）又は（８）の何れか１つに記載の装置。
（１５）前記カートリッジを挿入及び取り外しできる封止されたハウジングがある、（１）、（４）又は（８）の何れか１つに記載の装置。
（１６）前記装置を挿入及び取り外しできる封止されたハウジングであって、該ハウジングが２つの部品を有し、第１の部品が該ハウジングの一方の端部で任意の流路を封止し、第２の部品が前記カートリッジの他方の端部で任意の流路を封止する、（１）、（４）又は（８）の何れか１つに記載の装置。
（１７）前記カートリッジがニードルであり、該ニードルが、収着剤を含有する端部に側面流路と、反対側の端部に第２流路とを有する、（１）、（４）又は（８）の何れか１つに記載の装置。
（１８）前記カートリッジが、前記分析装置のカートリッジ用カルーセル内に適合するようサイズ設定されかつ成形され、該分析装置が自動化され、該カルーセルがその中に複数のカートリッジ用受容器を有し、該カートリッジを１つの受容器に配置した場合に、前記流路が封止される、（１）、（４）又は（８）の何れか１つに記載の装置。
（１９）前記流体がガスであり、前記分析装置がキャピラリーガスクロマトグラフである、（１）に記載の装置。
（２０）前記流体が液体であり、前記分析装置が液体ガスクロマトグラフ装置である、（１）に記載の装置。
（２１）前記分析装置がキャピラリー電気泳動装置である、（１）に記載の装置。
（２２）前記分析装置がマイクロマシンド（micro machined）装置である、（１）に記載の装置。
（２３）前記注入口がライナーを有し、脱着が前記カートリッジから該ライナーへ直接的に実施される、（１９）に記載の装置。
（２４）前記ライナーが、脱着の間、前記カートリッジの周りを封止するリストリクションを含み、該カートリッジが前記収着剤を流れることができる脱着用流体を受け入れるよう配置された、（２３）に記載の装置。
（２５）前記セグメントに分かれた収着剤が３つのセグメントを有する、（８）に記載の装置。
（２６）前記流路のうちの１つが入口である、（２５）に記載の装置。
（２７）前記収着剤の最も弱い収着セグメントが、前記入口の最も近くに配置され、最も強い収着セグメントが、該入口から最も遠くに配置され、中間の収着セグメントが、該最も弱いセグメントと該最も強いセグメントの間に配置された、（２６）に記載の装置。
（２８）前記最も弱い収着セグメントが（ポリジメチル）シロキサンから作製され、前記中間の収着セグメントがポリ（ジビニルベンジン）から作製され、前記最も強い収着セグメントが活性炭の収着剤から作製された、（２７）に記載の装置。
（２９）前記カートリッジがポンプに接続された、（１）に記載の装置。
（３０）前記ポンプがシリンジである、（２９）に記載の装置。
（３１）キャリヤーガスを前記カートリッジに通して前記注入口へ流し、脱着を助長できるように、該カートリッジが該注入口に接続された、（１）、（４）又は（８）の何れか１つに記載の装置。
（３２）前記装置を挿入及び取り外しできるハウジングがあり、該ハウジングが、該ハウジングの内部に前記マイクロカートリッジをとどめながら、該マイクロカートリッジを介してサンプリングを実施できるように、その中に該マイクロカートリッジの流路に対応する開口を有し、開口用の取り外し可能なシールを備えた、（１）、（４）又は（８）の何れか１つに記載の装置。
（３３）前記装置を挿入及び取り外しできるハウジングがあり、該ハウジングが、該ハウジングの内部に前記カートリッジをとどめながら、該カートリッジを介して拡散によりサンプリングを実施できるように、その中に該カートリッジの流路に対応する開口を有し、開口用の取り外し可能なシールを備えた、（１）、（４）又は（８）の何れか１つに記載の装置。
（３４）前記装置を挿入及び取り外しできるハウジングがあり、該ハウジングが、該ハウジングの内部に前記カートリッジをとどめながら、該カートリッジを介して拡散によりサンプリングを実施できるように、該カートリッジの１つの流路に対応する１つの開口を有し、その長さに比べて実質的に小さい直径を有する開口用の取り外し可能なシールを備えた、（１）、（４）又は（８）の何れか１つに記載の装置。
（３５）前記カートリッジが、金属、不活性化された金属、シルコスチール（silco steel）、溶融シリカ、ナノテクノロジー材料、及びマイクロマシンド部材の群より選択される材料から作製された、（１）、（４）又は（８）の何れか１つに記載の装置。
（３６）前記マイクロカートリッジが、２ｍｍよりも実質的に小さい外径を有する、（１）、（４）又は（８）の何れか１つに記載の装置。
（３７）前記カートリッジが、１ｍｍよりも実質的に小さい外径を有する、（１）、（４）又は（８）の何れか１つに記載の装置。
（３８）細長いマイクロカートリッジを有し、該カートリッジが収着剤を含有し、かつその中に、流体と該収着剤とのアクセスを可能にするよう該カートリッジ内に圧力降下を作り出すことができる流路を有する、流体から所定の成分をサンプリング及び抽出するための装置を使用する方法であって、該マイクロカートリッジ及び該収着剤を該流体にさらすこと、好適な分析装置の注入口に該カートリッジを挿入すること、並びに該カートリッジから所定の成分を脱着させることを含んで成る、流体から所定の成分をサンプリング及び抽出するための装置を使用する方法。
（３９）前記カートリッジを前記注入口に挿入した際に、該カートリッジをキャリヤー流体の供給に接続し、該カートリッジを介して適切なライナーを含有する該注入口へ該キャリヤー流体を流して、脱着を助長しかつ前記分析装置へ所定の検体を移送する工程を含む、（３８）に記載の方法。
（４０）前記ライナーが、前記カートリッジの周りをシールできるリストリクションを有する（３９）に記載の方法であって、該リストリクションが該カートリッジの周りをシールして、それにより該カートリッジを介してキャリヤー流体を流すように、該カートリッジを前記注入口に挿入する工程を含む、（３９）に記載の方法。
（４１）現場から離れてサンプリングするために前記カートリッジを使用する工程、該サンプリングの完了直後に該カートリッジを封止されたハウジングに挿入する工程、該カートリッジを好適な分析装置に移送する工程、及び該ハウジングから該カートリッジを取り出す工程を含む、（３８）に記載の方法。
（４２）前記カートリッジが多重カートリッジホルダーにある間封止されるように、該カートリッジを該多重カートリッジホルダーに配置して、該カートリッジを前記注入口に配置する直前に、該多重カートリッジホルダーから該カートリッジを取り出す工程を含む、（３９）に記載の方法。
（４３）前記分析装置が自動化された（４２）に記載の方法であって、自動的に前記多重カートリッジホルダーからマイクロカートリッジを取り出し、かつ該マイクロカートリッジを該分析装置の注入口に配置する工程、及び脱着を自動的に実施する工程を含む、（４２）に記載の方法。
（４４）前記マイクロカートリッジを取り外し可能に配置できるハウジングがあり、該ハウジングが、その中に該カートリッジの１つの流路に対応する１つの開口を有し、該開口が、該開口の長さに比べて実質的に小さい直径を有する（３９）に記載の方法であって、該ハウジングに該カートリッジを配置して、該ハウジングを封止しかつプラグを用いて該開口を封止する工程、サンプリング直前に該プラグを取り除く工程、該ハウジングから該カートリッジを取り出さずに拡散によりサンプリングを実施する工程、サンプリングが完了した場合に該開口の該プラグを元に戻し、該ハウジング及びカートリッジを分析装置に移送する工程、該ハウジングから該カートリッジを取り出す工程、該分析装置の注入口に該カートリッジを配置する工程、並びに脱着を実施する工程を含む、（３９）に記載の方法。